(57)【要約】【課題】  本発明は、プラズマディスプレイパネルに形成される電子波を遮蔽することができるプラズマディスプレイ装置を提供することにある。【解決手段】  ケースとパネル組立体との間に備えられ電極層を駆動するドライバーと、透明な薄膜で蒸着され前面基板の上面に所定のサイズで取付けられ、電極層から発生する電子波を遮蔽する電子波遮蔽層と、電子波遮蔽層の上面に増築されパネル組立体から放射された放電光のうちノイズ信号を遮断する反射防止膜と、パネル組立体の所定の段差領域と接触されるよう反射防止膜の上面にて結合されるカバーと、電子波遮蔽層に備えられ、ドライバー、パネル組立体、電子波遮蔽層、カバー、及びケースを電気的に連結して電子波遮蔽層が電子波を遮蔽する電極連結部とよりなる。【選択図】      図３
2004158861.tif 000002
【特許請求の範囲】
【請求項１】
ケース内に収容されるパネル組立体と、
前記ケースと前記パネル組立体との間に備えられ前記パネル組立体を駆動するドライバーと、
透明な薄膜で蒸着され前記パネル組立体の上面に所定のサイズで取付けられ、前記パネル組立体から発生する電子波を遮蔽する電子波遮蔽層と、
前記電子波遮蔽層の上面に増築され、前記パネル組立体から放射された放電光のうちノイズ信号を遮断する反射防止膜と、
前記パネル組立体の所定の段差領域と接触されるよう前記反射防止膜の上面にて結合されるカバーと、
前記電子波遮蔽層の所定の領域に備えられ、前記ドライバー、前記パネル組立体、前記電子波遮蔽層、前記カバー、及び前記ケースを電気的に連結して前記電子波遮蔽層が前記電子波を遮蔽するようにする電極連結部とを含み、
前記ドライバー、前記パネル組立体、前記電子波遮蔽層、前記反射防止膜、及び前記カバーは前記ケースから順に増築されることを特徴とするプラズマディスプレイ装置。
【請求項２】
前記電極連結部は、前記電子波遮蔽層のエッジ領域に備えられることを特徴とする請求項１に記載のプラズマディスプレイ装置。
【請求項３】
前記反射防止膜は、前記パネル組立体から放射される近赤外線を遮断し、放射される放電光のうち映像信号に対する光反射を防止することを特徴とする請求項１に記載のプラズマディスプレイ装置。
【請求項４】
前記反射防止膜は、アンチ−リフレクションフィルムの積層及び硬化樹脂のコーティングのうち何れの１つによって形成されることを特徴とする請求項１に記載のプラズマディスプレイ装置。
【請求項５】
前記反射防止膜から遮断される前記ノイズ信号は６３０ｎｍないし６４０ｎｍ内の波長に該当することを特徴とする請求項１に記載のプラズマディスプレイ装置。
【請求項６】
前記パネル組立体は前面基板、電極層、背面基板を含み、前記ドライバーは前記電極層を駆動し、前記電子波遮蔽層は前記電極層から発生される電子波を遮蔽することを特徴とする請求項１に記載のプラズマディスプレイ装置。
【請求項７】
ケースとパネル組立体との間に備えられる電極層を駆動するドライバーと、
前記パネル組立体の外面に所定のサイズに取付けられ、前記パネル組立体から発生される電子波を遮蔽する金属導電網と、
該金属導電網の外面に増築され前記パネル組立体から放射された放電光のうちノイズ信号を遮断する反射防止膜と、
前記パネル組立体の所定の段差領域と接触されるよう結合されるカバーと、
前記金属導電網の所定の領域に備えられ、前記ドライバー、前記パネル組立体、前記金属導電網、前記カバー、及び前記ケースを電気的に連結して前記金属導電網が前記電子波を遮蔽するようにする電極連結部とを含み、
前記ドライバー、前記パネル組立体、前記金属導電網、前記反射防止膜、及び前記カバーは前記ケースから順に増築されることを特徴とするプラズマディスプレイ装置。
【請求項８】
前記電極連結部は、前記金属導電網のエッジ領域に備えられることを特徴とする請求項７に記載のプラズマディスプレイ装置。
【請求項９】
前記反射防止膜は、前記パネル組立体から放射される近赤外線を遮断し、放射される放電光のうち映像信号に対する光反射を防止することを特徴とする請求項７に記載のプラズマディスプレイ装置。
【請求項１０】
前記金属導電網は、写真エッチングによって加工された金属網であることを特徴とする請求項７に記載のプラズマディスプレイ装置。
【請求項１１】
パネル組立体と、
該パネル組立体と接触されるよう前記パネル組立体に備えられる電子波遮蔽層を含むプラズマディスプレイ装置。
【請求項１２】
前記電子波遮蔽層は、パネル組立体の前面基板に接触されることを特徴とする請求項１１に記載のプラズマディスプレイ装置。
【請求項１３】
前記電子波遮蔽層は、透明導薄膜を含むことを特徴とする請求項１２に記載のプラズマディスプレイ装置。
【請求項１４】
前記電子波遮蔽層の上面に増築され前記パネル組立体から放射された放電光のうちノイズ信号を遮断する反射防止膜を更に含むことを特徴とする請求項１３に記載のプラズマディスプレイ装置。
【請求項１５】
パネル組立体と、
該パネル組立体と接触されるよう前記パネル組立体に備えられる金属導電網を含むプラズマディスプレイ装置。
【請求項１６】
前記金属導電網は、前記パネル組立体の前面基板に接触されることを特徴とする請求項１５に記載のプラズマディスプレイ装置。
【請求項１７】
前記金属導電網の外面に増築され前記パネル組立体から放射された放電光のうちノイズ信号を遮断する反射防止膜を更に含むことを特徴とする請求項１６に記載のプラズマディスプレイ装置。
【発明の詳細な説明】
【技術分野】
【０００１】
本発明はプラズマディスプレイ装置に関し、特に、電子波遮断のための導電膜を備えたプラズマディスプレイ装置に関する。
【背景技術】
【０００２】
プラズマディスプレイパネル（以下、ＰＤＰと称する）は、ガス放電現像を用いる平板表示装置である。ＰＤＰ表示装置（以下、プラズマディスプレイ装置と称する）はＣＲＴ（陰極線管）表示装置に比べ薄型化、軽量化、及び大型化が容易であり、これからの表示装置として脚光を浴びている。
【０００３】
図１は、従来のプラズマディスプレイ装置を概略的に示した図である。同図を参照すれば、プラズマディスプレイ装置１００は、ケース１１０、カバー１２０、ドライバー１３０、パネル組立体１４０、フィルタ１５０を含む。
【０００４】
プラズマディスプレイ装置１００は、ＰＤＰを用いて画像を表示する。ドライバー１３０、パネル組立体１４０、及びフィルタ１５０は、ケース１１０とカバー１２０との間に収容される。
【０００５】
ドライバー１３０は、プラズマディスプレイ装置１００の全般の駆動を制御する。例えば、ドライバー１３０は後述するパネル組立体１４０に形成された電極層（図示せず）に駆動電圧を印加して電極層を駆動する。
【０００６】
パネル組立体１４０は、ＰＤＰとして背面基板１４２、前面基板１４４、電極層（図示せず）を有する。電極層は、背面基板１４２と前面基板１４４との間に形成される。
【０００７】
フィルタ１５０は、パネル組立体１４０の前面基板１４４から所定の距離が離隔された状態で設けられる。フィルタ１５０はパネル組立体１４０の駆動時に発生される電子波が外部に漏れるのを遮断する。
【０００８】
図２は図１に備えられるフィルタの断面を示す図である。図２は図１のＡ−Ａに図示された矢印方向に沿って断絶した場合形成される図である。同図を参照すれば、フィルタ１５０は第１のＡＲフィルム（Anti−Reflection  film）１５２、電子波遮蔽層１５４、電源連結部１５６、強化ガラス１５８、第２のＡＲフィルム１５９を有する。
【０００９】
第１及び第２のＡＲフィルム１５２、１５９は、パネル組立体１４０から放射された放電光のうち近赤外線及びネオン光は遮断させ、映像信号に対する光の反射は防止する。これにより、映像信号に対する光の反射率が低減し、階調は向上する。第１のＡＲフィルム１５２は前面基板１４４の外面と向かい合っており、第２のＡＲフィルム１５９は外部に向いている。
【００１０】
電子波遮蔽層１５４のうち透明導電膜（図示せず）は、導電性の優れた銅または銀（Ag）を面の構造に増着（sutter）して形成される。または、電子波遮蔽層１５４は、エッチングメッシュタイプから形成されることも可能である。エッチングメッシュタイプは、特殊な化学物質を写真エッチング処理することによりポートマスク基板に形成されることである。
【００１１】
電源連結部１５６は、電子波遮蔽層１５４のエッジ領域に備えられる。これにより、電子波遮蔽層１５４はカバー１２０、パネル組立体１４０、ケース１１０と電気的に連結されて電極を生成する。
【００１２】
強化ガラス１５８は、外部の衝撃からプラズマディスプレイ装置１００を保護し、より鮮明な画質を提供する。
【００１３】
再び図１を参照すれば、ドライバー１３０から印加された電圧によりパネル組立体１４０から発生された電子波は、電子波遮蔽層１５４にて生成された電極によって遮蔽される。即ち、発生された電子波は電子波遮蔽層１５４を介してカバー１２０及びケース１１０に接地される。
【００１４】
しかし、従来のプラズマディスプレイ装置１００は、パネル組立体１４０から発生される電子波を遮蔽するために別のフィルタ１５０を備えなければならない不具合があった。フィルタ１５０はパネル組立体１４０から所定の距離が離隔されて備えられるので、その接合性に応じて電子波の遮蔽率は不安定となる。さらに、パネル組立体１４０の放電時に発生する近赤外線により送信機（図示せず）の動作が不安定になる。
【発明の開示】
【発明が解決しようとする課題】
【００１５】
本発明が解決しようとする技術的な課題は、プラズマがパネルに電子波を遮蔽することのできる導電膜が形成されたプラズマディスプレイ装置を提供することにある。
【課題を解決するための手段】
【００１６】
前述した技術的課題を解決するために本発明に係るプラズマディスプレイ装置は、前述のケース内に収容されるパネル組立体と、前記ケースと前記パネル組立体との間に備えられ前記パネル組立体を駆動するドライバーと、透明な薄膜で蒸着され前記パネル組立体の上面に所定のサイズで取付けられ、前記パネル組立体から発生する電子波を遮蔽する電子波遮蔽層と、前記電子波遮蔽層の上面に増築され前記パネル組立体から放射された放電光のうちノイズ信号を遮断する反射防止膜と、前記パネル組立体の所定の段差領域と接触されるべく前記反射防止膜の上面にて結合されるカバーと、前記電子波遮蔽層の所定の領域に備えられ、前記ドライバー、前記パネル組立体、前記電子波遮蔽層、前記カバー、前記ケースを電気的に連結して前記電子波遮蔽層が前記電子波を遮蔽するようにする電極連結部と、を含み、前記ドライバー、前記パネル組立体、前記電子波遮蔽層、前記反射防止膜、前記カバーは、前記ケースから順に増築される。
【００１７】
好ましくは、前記電極連結部は、前記電子波遮蔽層のエッジ領域に備えられる。
【００１８】
前記反射防止膜は、前記パネル組立体から放射される近赤外線を遮断し、放射される放電光のうち映像信号に対する光反射を防止する。前記反射防止膜は、アンチ-リフレクションフィルムの積層及び硬化樹脂のコーティングのうち何れの１つによって形成される。さらに、前記反射防止膜から遮断される前記ノイズ信号は６３０ｎｍないし６４０ｎｍ内の波長に該当する。
【００１９】
詳しくは、前記パネル組立体は前面基板、電極層、背面基板を含み、前記ドライバーは前記電極層を駆動し、前記電子波遮蔽層は前記電極層から発生される電子波を遮蔽する。
【００２０】
一方、前述の技術的な課題を解決するための本発明に係るプラズマディスプレイ装置は、ケースとパネル組立体との間に備えられる電極層を駆動するドライバーと、前記パネル組立体の外面に所定のサイズに取付けられ、前記パネル組立体から発生される電子波を遮蔽する金属導電網と、該金属導電網の外面に増築され前記パネル組立体から放射された放電光のうちノイズ信号を遮断する反射防止膜と、前記パネル組立体の所定の段差領域と接触されるよう結合されるカバーと、前記金属導電網の所定の領域に備えられ、前記ドライバー、前記パネル組立体、前記金属導電網、前記カバー、前記ケースを電気的に連結して前記金属導電網が前記電子波を遮蔽するようにする電極連結部と、を含み、前記ドライバー、前記パネル組立体、前記金属導電網、前記反射防止膜、前記カバーは前記ケースから順に増築される。
【００２１】
より詳しくは、前記電極連結部は、前記金属導電網のエッジ領域に備えられる。前記金属導電網は写真エッチングにより加工された金属網である。
【００２２】
前記反射防止膜は、前記パネル組立体から放射される近赤外線を遮断し、放射される放電光のうち映像信号に対する光反射を防止する。
【発明の効果】
【００２３】
本発明に係るプラズマディスプレイ装置３００によれば、別のフィルタを必要としなくてもＰＤＰから発生される電子波を遮断することが可能である。言い換えれば、ＰＤＰの前面基板に透明な薄膜で蒸着された導電膜を付着またはエッチングメッシュ状の網を形成することによりＥＭＩを効果的に遮蔽できる。よって、プラズマディスプレイ装置の製造コストの節減かつ薄型化が実現できる。
【発明を実施するための最良の形態】
【００２４】
図３は本発明の最良の実施形態に係るプラズマディスプレイ装置を概略的に示した図である。本発明に係るプラズマディスプレイ装置３００は、ケース３１０、カバー３２０、ドライバー３３０、パネル組立体３４０、電子波遮蔽層３５０、及び反射防止膜３６０を含む。
【００２５】
プラズマディスプレイ装置３００は、ＰＤＰを用いて画像を表示する装置である。ケース３１０とカバー３２０との間に収容されるドライバー３３０、パネル組立体３４０、電子波遮蔽層３５０、及び反射防止膜３６０が収容される。
【００２６】
ドライバー３３０は、ケース３１０と後述するパネル組立体３４０との間に形成され、プラズマディスプレイ装置３００の全般の駆動を制御する。例えば、ドライバー３３０はパネル組立体３４０に形成された電極層３４２ａ、３４２ｂに駆動電圧を印加して電極層３４２ａ、３４２ｂを駆動する。
【００２７】
図４は、図３に備えられるパネル組立体の一部を図示した斜視図である。パネル組立体３４０は、ＰＤＰとして背面基板３４１、複数の第１の電極層３４２ａ、第１の誘電層３４３ａ、複数の隔壁３４４、複数のセル３４５、保護膜３４６、第２の誘電層３４３ｂ、複数の第２の電極層３４２ｂ、複数の透明電極層３４２ｃ、及び前面基板３４７を有する。
【００２８】
背面及び前面基板３４１、３４７として、ガラスあるいは透明な合成樹脂のような透明素材が用いられる。
【００２９】
複数の第１及び第２の電極層３４２ａ、３４２ｂは、背面及び前面基板３４１、３４９との間に形成され、相互直角をなすように形成される。
【００３０】
複数の第１の電極層３４２ａは、アドレス電極である。第１の誘電層３４３ａは、第１の電極層３４２ａ間を絶縁させるために背面基板３４１の前面に塗布される。第１の誘電層３４３ａの上面には複数の隔壁３４４が形成される。この隔壁３４４の所定領域には蛍光体が塗布される。さらに、隔壁３４４間にはアルゴン（Ａｒ）、ネオン（Ｎｅ）、若しくはクセノン（Ｘｅ）のような放電用ガスが充電されたセル３４５が形成される。隔壁３４４は、セル３４５間のクロストーク（crosstalk）を防止する。
【００３１】
また、隔壁３４４の所定の領域及び第１の誘電層３４３ａ上にはパネル組立体３４０のカラー化の実現のため蛍光体が塗布される。
【００３２】
第２の電極層３４２ｂはバス電極であり、透明電極３４２ｃはＩＴＯ（Indium  Tin  Oxide）素材の電極である。
【００３３】
第２の電極層３４２ｂは、第２の電極層３４２ｂ及び透明電極３４２ｃとの間で発生される電荷を充電させる。保護膜３４６は、第２の電極層３４２ｂ及び透明電極３４２ｃを保護する。
【００３４】
上記のようなパネル組立体３４０は、ドライバー３３０により電極層３４２ａ、３４２ｂが駆動されれば所定の電子波を発生する。発生された電子波はＥＭＩ（Electro  Magnetic  Interference）現象を誘発する。ＥＭＩ現象とは、発生された電子波により外部機器の動作が妨げられる現象のことを指す。
【００３５】
かかる電子波の外部への漏れの防止のために電子波遮蔽層３５０が備えられる。
【００３６】
図５は図３のパネル組立体、電子波遮蔽層、反射防止膜、及び電極連結部の断面を示した図である。図５の断面図は、図３のＢ−Ｂに図示された矢印方向に沿って断絶した場合形成され、パネル組立体３４０、電子波遮蔽層３５０、電極連結部３７０、反射防止膜３６０を有する。図５につき、パネル組立体３４０は背面基板３４１及び前面基板３４７を有し、その他の要素は説明の便宜上省略する。
【００３７】
電子波遮蔽層３５０は、導電性の優れた透明な膜が薄膜構造で蒸着されたものを使用する。電子波遮蔽層３５０は前面基板３４７の上面に所定のサイズで付着される。この際、電子波遮蔽層３５０は前面基板３４７の前面に渡ってスパッタリングで蒸着されることが好ましい。
【００３８】
電子波遮蔽層３５０のエッジ領域には、電極連結部３７０（黒色で図示）が備えられる。電極連結部３７０により電子波遮蔽層３５０はカバー３２０、ドライバー３３０のグラウンド（図示せず）、パネル組立体３４０、ケース３１０、及び電極連結部３７０のグラウンド（図示せず）と電気的に連結されて電極層３４２ａ、３４２ｂから発生される電子波を遮蔽する。
【００３９】
一方、電子波遮蔽層３５０の代わりに、図６のように、金属導電網６５０を用いることが可能である。金属導電膜６５０は、特定導電物質（例えば、金、銀、銅など）の写真エッチングにより加工された網であり、前面基板３４７の上面に増築される。従って、金属導電網６５０を使用することによってパネル組立体３４０から発生された電子波は遮蔽される。
【００４０】
反射防止膜３６０は、電子波遮蔽層３５０の上面に増築される。反射防止膜３６０は、パネル組立体３４０から放射された放電光のうちノイズ成分及び近赤外線（７８ｎｍ〜２５０ｎｍの波長）を遮断する。ノイズ成分は６３０ｎｍ〜６４０ｎｍの波長に属し、代表的にほぼ６３５ｎｍの波長を有するオレンジ色が挙げられる。
【００４１】
さらに、近赤外線を遮断することにより、近赤外線によって発生される受信機受信部（図示せず）のエラー発生を抑えることが可能となる。つまり、パネル組立体３４０から放出された受信機（図示せず）に適しない近赤外線の受信を遮断できるのである。受信機受信部（図示せず）は、プラズマディスプレイ装置３００に備えられ、外部からの赤外線信号を受信する。
【００４２】
そして、反射防止膜３６０は、パネル組立体３４０から放射された放電光のうち、映像信号に対する光反射を防止し、下部光の乱反射率を減少させる。これによって映像の階調は向上される。
【００４３】
かかる反射防止膜３６０は、ＡＲフィルムを積層及び硬化樹脂のような特殊塗料をコーティング処理することにより形成される。
【００４４】
再び図３を参照すれば、反射防止膜３６０の上面にはケース３１０のカバー３２０が備えられる。該カバー３２０はパネル組立体３４０の所定の段差領域と接触されるべく備えられる。
【００４５】
これはカバー３２０、ドライバー３３０、パネル組立体３４０、及びケース３１０が電極連結部３７０によって電子波遮蔽層３５０と電気的に連結され遮蔽（Shielding）するためである。従って、パネル組立体３４０にて発生された電子波は電子波遮蔽層３５０から生成された電極により遮蔽される。つまり、発生された電子波は電子波遮蔽層３５０を介してカバー３２０及びケース３１０に接地される。
【産業上の利用可能性】
【００４６】
本発明は電子波遮断のための導電膜が備えられたプラズマディスプレイ装置に利用され得る。
【図面の簡単な説明】
【００４７】
【図１】従来のプラズマディスプレイ装置を概略的に示した図である。
【図２】図１に備えられるフィルタの断面を示した図である。
【図３】本発明の好ましい実施形態に係るプラズマディスプレイ装置を概略的に示した図である。
【図４】図３に備えられるパネル組立体の一部を示した斜視図である。
【図５】図３のパネル組立体、電子波遮蔽層、及びＡＲフィルムの断面を示した図である。
【図６】図３のパネル組立体、金属導電網、及びＡＲフィルムの断面を示した図である。
【符号の説明】
【００４８】
３００  プラズマディスプレイ装置
３１０  ケース
３２０  カバー
３３０  ドライバー
３４０  パネル組立体
３５０  電子波遮蔽層
３６０  反射防止膜
３７０  電極連結部
６５０  金属導電網
【図１】
2004158861.tif 000003
【図２】
2004158861.tif 000004
【図３】
2004158861.tif 000005
【図４】
2004158861.tif 000006
【図５】
2004158861.tif 000007
【図６】
2004158861.tif 000008